(57)【要約】      （修正有）【課題】吸収性物品の前後端部からの漏れを防止するとともに、前後端部の着用中のずれを防止した吸収性物品を提供する。【解決手段】肌側の前端部及び後端部の少なくとも一方に、長手方向中央に向けて開口するポケットＰＦ、ＰＢを形成するポケットシート１０、１１が配設され、前記ポケットシート１０、１１の一部が開口側端部から長手方向に折り返し可能に設けられるとともに、前記ポケットシート１０、１１の折り返し部分が生理用ナプキン１の長手方向端縁より外側において下着に固定し得るように設けられている。ポケットシート１０、１１を折り返さずに下着に装着する形態と、ポケットシート１０、１１を折り返し、この折り返し部分を、生理用ナプキン１の長手方向の端縁より外側において下着に固定して装着する形態とが選択可能に成されている。【選択図】図１
2020137731.tif 000002
【特許請求の範囲】
【請求項１】
表面シートと裏面シートとの間に吸収体が介在された吸収性物品において、
肌側の前端部及び後端部の少なくとも一方に、長手方向中央に向けて開口するポケットを形成するポケットシートが配設され、前記ポケットシートの一部が開口側端部から長手方向に折り返し可能に設けられるとともに、前記ポケットシートの折り返し部分が吸収性物品の長手方向端縁より外側において下着に固定し得るように設けられており、
前記ポケットシートを折り返さずに下着に装着する形態と、前記ポケットシートを折り返し、この折り返し部分を、吸収性物品の長手方向の端縁より外側において下着に固定して装着する形態とが選択可能に成されていることを特徴とする吸収性物品。
【請求項２】
長手方向の中間部において肌側に起立する立体ギャザーを形成するサイドシートが、肌側の両側部に長手方向の全長に亘って配設されるとともに、長手方向の両端部において、前記サイドシートの幅方向中央側の部分が、幅方向に折り畳まれて積層された状態で前記表面シートの肌側面に接合されており、
前記ポケットシートの両側部が、前記サイドシートの積層部分より幅方向外側に延在して配設されるとともに、前記積層部分より幅方向外側に延在する部分が、前記サイドシートの肌側面に接合されている請求項１記載の吸収性物品。
【請求項３】
前記ポケットシートは、開口側端部から吸収性物品の長手方向の所定区間における全てのポケットシートが、長手方向に折り返し可能に設けられている請求項１、２いずれかに記載の吸収性物品。
【請求項４】
前記ポケットシートは、長手方向に折り返し可能な部分の両側部が、長手方向に折り返さない状態において、下層側の部材に対し、剥離可能接合部によって接合されている請求項３記載の吸収性物品。
【請求項５】
前記ポケットシートは、吸収性物品の長手方向端部側の縁部がほぼ全幅に亘って下層側の部材に剥離不能に接合されるとともに、両側部の長手方向端部寄りの部分が下層側の部材に剥離不能に接合されている請求項３、４いずれかに記載の吸収性物品。
【請求項６】
前記ポケットシートが２層以上の積層シート材からなり、少なくとも最上層のシート材が開口側端部から長手方向に折り返し可能に設けられており、それより下層側のシート材が長手方向に折り返し不能に設けられている請求項１、２いずれかに記載の吸収性物品。
【請求項７】
長手方向に折り返し不能に設けられた前記下層側のシート材に、防水シートが積層されている請求項６記載の吸収性物品。
【請求項８】
前記ポケットシートは、連続する１枚のシート材が長手方向に折り畳まれることによって前記２層以上の積層シート材を構成している請求項６、７いずれかに記載の吸収性物品。
【請求項９】
前記ポケットシートは、長手方向に折り返し可能に設けられた上層側のシート材と、長手方向に折り返し不能に設けられた下層側のシート材とが接合されて前記２層以上の積層シート材を構成している請求項６、７いずれかに記載の吸収性物品。
【請求項１０】
前記ポケットシートの開口側端部に、長手方向に折り返した端縁折り返し部が設けられ、この端縁折り返し部の内面に、前記ポケットシートを折り返して装着する形態において下着に固定するための粘着剤層が備えられている請求項１〜９いずれかに記載の吸収性物品。
【請求項１１】
吸収性物品の後端部に配設されるポケットシートは、吸収性物品の幅方向中間部に配置されるか、吸収性物品の全幅に亘って配置されている請求項１〜１０いずれかに記載の吸収性物品。
【請求項１２】
前記吸収体は、前記ポケットと重なる領域の肌側面に、非肌側に窪む凹部が形成されており、前記凹部は、前記ポケットの開口側端部より長手方向の中央側に延在して形成されている請求項１〜１１いずれかに記載の吸収性物品。
【請求項１３】
前記吸収体がパルプと高吸水性ポリマーとを含み、
前記高吸水性ポリマーの目付は、前記ポケットと重なる領域の方が他の領域より低く設定されている請求項１〜１２いずれかに記載の吸収性物品。
【請求項１４】
前記表面シートは、前記ポケットと重なる領域に、表裏を貫通する多数の開孔が形成されている請求項１〜１３いずれかに記載の吸収性物品。
【請求項１５】
前記表面シートは、前記ポケットと重なる領域に、吸収性物品の幅方向に亘って延びる畝部及び溝部を吸収性物品の長手方向に交互に多数配置した畝溝構造が形成されている請求項１〜１４いずれかに記載の吸収性物品。
【発明の詳細な説明】
【技術分野】
【０００１】
本発明は、主には生理用ナプキン、おりものシート、失禁パッド、トイレタリー等に使用される吸収性物品であって、詳しくは吸収性物品の前端部及び後端部の少なくとも一方に長手方向中央に向けて開口するポケットが形成された吸収性物品に関する。
【背景技術】
【０００２】
従来より、主に就寝時に装着する夜用の生理用ナプキンなどとして、吸収量を増やし漏れを防止するため、前後方向の長さを長くして、着用者の臀部まで広く覆うようにした吸収性物品が知られている。
【０００３】
ところが、吸収性物品の前後方向の長さをいくら長くしても、肌面を伝って前後方向に流れる体液が前後端部から漏れる場合があり、このような前後端部からの漏れをより確実に防止するため、前後端部に長手方向中央に向けて開口するポケットを形成したものが種々提案されている。
【０００４】
例えば、下記特許文献１においては、防漏シートが、表面シートの前端部若しくは後端部を覆うように且つ押圧溝及び防漏シートでポケットが形成されるように表面シートに接合されている吸収性物品が開示されている。
【０００５】
また、下記特許文献２においては、前後において、立体ギャザーの収縮力を利用して縦断面Ｚ字状の折り畳みによるポケットを形成した吸収性物品が開示されている。
【先行技術文献】
【特許文献】
【０００６】
【特許文献１】特開２００２−９５６９７号公報
【特許文献２】特開２０１５−２４０７０号公報
【発明の概要】
【発明が解決しようとする課題】
【０００７】
上記特許文献１、２に記載の吸収性物品では、前後端部にポケットが形成されるため、肌面を伝って流れた体液がポケットで塞き止められ、前後端部からの漏れ防止効果の向上が期待できる。
【０００８】
しかしながら、夜用の生理用ナプキンなどのように、前後方向の長さが長い吸収性物品では、着用中の身体の動きなどによって装着位置がずれる場合があった。吸収性物品の本体部には、下着との対向面にずれ止め用の粘着剤層が設けられているが、これだけでは着用中のずれを抑えるのに不充分であり、特に、吸収性物品の前後端部がずれやすいという問題があった。
【０００９】
そこで本発明の主たる課題は、吸収性物品の前後端部からの漏れを防止するとともに、前後端部の着用中のずれを防止した吸収性物品を提供することにある。
【課題を解決するための手段】
【００１０】
上記課題を解決するために請求項１に係る本発明として、表面シートと裏面シートとの間に吸収体が介在された吸収性物品において、
肌側の前端部及び後端部の少なくとも一方に、長手方向中央に向けて開口するポケットを形成するポケットシートが配設され、前記ポケットシートの一部が開口側端部から長手方向に折り返し可能に設けられるとともに、前記ポケットシートの折り返し部分が吸収性物品の長手方向端縁より外側において下着に固定し得るように設けられており、
前記ポケットシートを折り返さずに下着に装着する形態と、前記ポケットシートを折り返し、この折り返し部分を、吸収性物品の長手方向の端縁より外側において下着に固定して装着する形態とが選択可能に成されていることを特徴とする吸収性物品が提供される。
【００１１】
上記請求項１記載の発明では、肌側の前端部及び後端部の少なくとも一方に、長手方向中央に向けて開口するポケットが形成されているため、長手方向端部に向けて流れた体液が、前記ポケットに流入して塞き止められることにより、前後端部からの体液の漏れが防止できるようになる。
【００１２】
また、本吸収性物品では、前記ポケットシートを折り返さずに下着に装着する形態と、前記ポケットシートを折り返し、この折り返し部分を、吸収性物品の長手方向の端縁より外側において下着に固定して装着する形態とが選択可能に成されているため、前記ポケットシートを折り返さない装着形態では、前記ポケットによって確実に体液が塞き止められるようになり、前記ポケットシートを折り返して下着に固定する装着形態では、着用時における吸収性物品の長手方向端部のずれが防止でき、装着感が良好になるとともに、体液の漏れが防止できるようになる。
【００１３】
請求項２に係る本発明として、長手方向の中間部において肌側に起立する立体ギャザーを形成するサイドシートが、肌側の両側部に長手方向の全長に亘って配設されるとともに、長手方向の両端部において、前記サイドシートの幅方向中央側の部分が、幅方向に折り畳まれて積層された状態で前記表面シートの肌側面に接合されており、
前記ポケットシートの両側部が、前記サイドシートの積層部分より幅方向外側に延在して配設されるとともに、前記積層部分より幅方向外側に延在する部分が、前記サイドシートの肌側面に接合されている請求項１記載の吸収性物品が提供される。
【００１４】
上記請求項２記載の発明では、立体ギャザーを形成するサイドシートが配設された吸収性物品において、前記ポケットシートの両側部を、前記サイドシートの幅方向中央側の積層部分より幅方向外側に延在して配設するとともに、この積層部分より幅方向外側に延在した部分において、サイドシートの肌側面に接合するようにしている。これによって、肌側に増厚されたサイドシートの積層部分がポケットの両側に位置するため、ポケットシートと表面シートとの間に空間が形成されやすくなり、ポケット内部に体液が流れ込みやすくなる。
【００１５】
請求項３に係る本発明として、前記ポケットシートは、開口側端部から吸収性物品の長手方向の所定区間における全てのポケットシートが、長手方向に折り返し可能に設けられている請求項１、２いずれかに記載の吸収性物品が提供される。
【００１６】
上記請求項３記載の発明は、前記ポケットを形成する第１形態例である。本形態例では、開口側端縁から吸収性物品の長手方向の所定区間における全てのポケットシートが長手方向に折り返し可能に設けられている。これによって、簡単な構造でポケットが形成できるようになる。
【００１７】
請求項４に係る本発明として、前記ポケットシートは、長手方向に折り返し可能な部分の両側部が、長手方向に折り返さない状態において、下層側の部材に対し、剥離可能接合部によって接合されている請求項３記載の吸収性物品が提供される。
【００１８】
上記請求項４記載の発明では、前記ポケットシートの長手方向に折り返し可能な部分の両側部を、長手方向に折り返さない状態において、下層側の部材に対し、剥離可能接合部によって接合している。このため、ポケットシートを開口側端部から長手方向に折り返す際には、前記剥離可能接合部によって接合された部分を剥離してポケットシートの開口側の所定区間を長手方向に折り返すことができるようになる。
【００１９】
請求項５に係る本発明として、前記ポケットシートは、吸収性物品の長手方向端部側の縁部がほぼ全幅に亘って下層側の部材に剥離不能に接合されるとともに、両側部の長手方向端部寄りの部分が下層側の部材に剥離不能に接合されている請求項３、４いずれかに記載の吸収性物品が提供される。
【００２０】
上記請求項５記載の発明では、前記ポケットシートを下層側の部材に剥離不能に接合する部分として、吸収性物品の長手方向端部側の縁部と、両側部の長手方向端部寄りの部分とによって平面視略コの字形又は略Ｕ字形に形成している。このため、ポケットシートを開口側端部から長手方向に折り返した際、折り返さない部分によって小さなポケットが形成されることとなり、この小さなポケットによって長手方向端部に向けて流れる体液の漏れが防止できるようになる。
【００２１】
請求項６に係る本発明として、前記ポケットシートが２層以上の積層シート材からなり、少なくとも最上層のシート材が開口側端部から長手方向に折り返し可能に設けられており、それより下層側のシート材が長手方向に折り返し不能に設けられている請求項１、２いずれかに記載の吸収性物品が提供される。
【００２２】
上記請求項６記載の発明は、前記ポケットを形成する第２形態例である。本形態例では、前記ポケットシートを２層以上の積層シート材で構成している。そして、少なくとも最上層のシート材は、開口側端部から長手方向に折り返し可能に設けられている。一方、これより下層側のシート材は、下層側の部材に剥離不能に接合され、長手方向への折り返しが不能に設けられている。このため、ポケットシートを開口側端部から長手方向に折り返した場合においても、下層のシート材によって吸収性物品の前後端部にポケットが形成されるため、前後端部からの漏れ防止と吸収性物品の前後端部のずれ防止をより確実に図ることができるようになる。
【００２３】
請求項７に係る本発明として、長手方向に折り返し不能に設けられた前記下層側のシート材に、防水シートが積層されている請求項６記載の吸収性物品が提供される。
【００２４】
上記請求項７記載の発明では、長手方向に折り返し不能に成された下層側のシート材は、常にポケットを形成するため、ポケットに流れ込んだ体液が肌側に滲出するのをより確実に防止できるように防水シートを積層するのが好ましい。
【００２５】
請求項８に係る本発明として、前記ポケットシートは、連続する１枚のシート材が長手方向に折り畳まれることによって前記２層以上の積層シート材を構成している請求項６、７いずれかに記載の吸収性物品が提供される。
【００２６】
上記請求項８記載の発明は、２層以上の積層シート材からなるポケットシートを形成する１つの形態例であり、連続する１枚のシート材を長手方向に折り畳むことによって構成している。連続する１枚のシート材で構成することにより、複数のシート材を接合する手間が省略でき、製造が容易になる。
【００２７】
請求項９に係る本発明として、前記ポケットシートは、長手方向に折り返し可能に設けられた上層側のシート材と、長手方向に折り返し不能に設けられた下層側のシート材とが接合されて前記２層以上の積層シート材を構成している請求項６、７いずれかに記載の吸収性物品が提供される。
【００２８】
上記請求項９記載の発明は、２層以上の積層シート材からなるポケットシートを形成する変形例であり、長手方向に折り返し可能に設けられた上層側のシート材と、長手方向に折り返し不能に設けられた下層側のシート材とを接合することによって構成している。複数の積層シート材で構成することにより、１枚当たりのシート材の長さが短くでき、製造上の取扱いが容易になる。
【００２９】
請求項１０に係る本発明として、前記ポケットシートの開口側端部に、長手方向に折り返した端縁折り返し部が設けられ、この端縁折り返し部の内面に、前記ポケットシートを折り返して装着する形態において下着に固定するための粘着剤層が備えられている請求項１〜９いずれかに記載の吸収性物品が提供される。
【００３０】
上記請求項１０記載の発明では、前記ポケットシートの開口側端部に、長手方向に折り返した端縁折り返し部を設けることにより、開口側端縁のコシが増し、ポケットが口開きしやすくなる。また、この端縁折り返し部の内面に下着に固定する際の粘着剤層を備えることができる。
【００３１】
請求項１１に係る本発明として、吸収性物品の後端部に配設されるポケットシートは、吸収性物品の幅方向中間部に配置されるか、吸収性物品の全幅に亘って配置されている請求項１〜１０いずれかに記載の吸収性物品が提供される。
【００３２】
上記請求項１１記載の発明では、吸収性物品の平面形状として、特に夜用の生理用ナプキンなどにおいて後端部の幅寸法が前端部の幅寸法より大きく形成されるため、吸収性物品の長手方向をライン流れ方向と一致させた縦流れ方式の製造ラインにおいて、吸収性物品の後端部に配置されるポケットシートと、これに続く吸収性物品の前端部に配置されるポケットシートとを連続するシート材で構成し、その後の工程で吸収性物品の外形線に沿って裁断することにより、前後端部にポケットが配設されるようにした場合、吸収性物品の前端部の幅寸法を基準にポケットシートを形成すると、吸収性物品の後端部に配設されるポケットシートが、吸収性物品の幅方向中間部に配置されることとなり、また、吸収性物品の後端部の幅寸法を基準にポケットシートを形成すると、吸収性物品の全幅に亘って配置されるようになる。
【００３３】
請求項１２に係る本発明として、前記吸収体は、前記ポケットと重なる領域の肌側面に、非肌側に窪む凹部が形成されており、前記凹部は、前記ポケットの開口側端部より長手方向の中央側に延在して形成されている請求項１〜１１いずれかに記載の吸収性物品が提供される。
【００３４】
上記請求項１２記載の発明では、前記ポケットと重なる領域の吸収体の肌側面に、非肌側に窪む凹部を形成することによって、ポケットに体液流入用の空間部を形成しやすくしている。また、この凹部を、ポケットの開口側端部より長手方向の中央側に延在して形成することによって、表面シートの表面を流れる体液が、先ず吸収体の凹部に入り込み、その後、ポケットの空間内部にスムーズに流入するようになる。
【００３５】
請求項１３に係る本発明として、前記吸収体がパルプと高吸水性ポリマーとを含み、
前記高吸水性ポリマーの目付は、前記ポケットと重なる領域の方が他の領域より低く設定されている請求項１〜１２いずれかに記載の吸収性物品が提供される。
【００３６】
上記請求項１３記載の発明では、吸収体に含まれる高吸水性ポリマーの目付を前記ポケットと重なる領域で相対的に低くすることによって、ポケット領域における高吸水性ポリマーの吸水による膨潤が抑えられ、ポケットの空間が維持されやすくなる。
【００３７】
請求項１４に係る本発明として、前記表面シートは、前記ポケットと重なる領域に、表裏を貫通する多数の開孔が形成されている請求項１〜１３いずれかに記載の吸収性物品が提供される。
【００３８】
上記請求項１４記載の発明では、前記ポケットで塞き止められた体液を、効率よく吸収体に吸収・保持できるようにするため、ポケットと重なる領域の表面シートに表裏を貫通する多数の開孔を設けている。
【００３９】
請求項１５に係る本発明として、前記表面シートは、前記ポケットと重なる領域に、吸収性物品の幅方向に亘って延びる畝部及び溝部を吸収性物品の長手方向に交互に多数配置した畝溝構造が形成されている請求項１〜１４いずれかに記載の吸収性物品が提供される。
【００４０】
上記請求項１５記載の発明では、ポケットまで流れた体液が、それ以上長手方向の端部に向けて流れるのを抑制するため、ポケットと重なる領域の表面シートに、吸収性物品の幅方向に亘って延びる畝部及び溝部を吸収性物品の長手方向に交互に多数配置した畝溝構造を形成している。
【発明の効果】
【００４１】
以上詳説のとおり本発明によれば、吸収性物品の前後端部からの漏れが防止できるとともに、前後端部の着用中のずれが防止できるようになる。
【図面の簡単な説明】
【００４２】
【図１】第１形態例に係る生理用ナプキン１の一部破断展開図である。
【図２】図１のII−II線矢視図である。
【図３】図１のIII−III線矢視図である。
【図４】非折り返し時の装着形態を示す下着の斜視図である。
【図５】折り返し時の装着形態を示す生理用ナプキン１の平面図である。
【図６】折り返し時の装着形態を示す下着の斜視図である。
【図７】図１のVII−VII線矢視図である。
【図８】生理用ナプキン１の製造要領を示す平面図である。
【図９】変形例に係る生理用ナプキン１の平面図である。
【図１０】その製造要領を示す平面図である。
【図１１】変形例に係る生理用ナプキン１の平面図である。
【図１２】図１１のXII−XII線矢視図である。
【図１３】変形例に係る生理用ナプキン１の平面図である。
【図１４】変形例に係る生理用ナプキン１の平面図である。
【図１５】図１４のXV−XV線矢視図である。
【図１６】第２形態例に係る生理用ナプキン１の平面図である。
【図１７】図１６のXVII−XVII線矢視図である。
【図１８】折り返し時の装着形態を示す生理用ナプキン１の平面図である。
【図１９】第２形態例の変形例に係る生理用ナプキン１の断面図（図１６のXVII−XVII線矢視図に対応する図）である。
【発明を実施するための形態】
【００４３】
以下、本発明の実施の形態について図面を参照しながら詳述する。
【００４４】
〔生理用ナプキン１の基本構造〕
本発明に係る生理用ナプキン１は、図１〜図３に示されるように、ポリエチレンシートなどからなる不透液性の裏面シート２と、経血やおりものなど（以下、まとめて体液ともいう。）を速やかに透過させる透液性の表面シート３と、これら両シート２，３間に介装された綿状パルプまたは合成パルプなどからなる吸収体４と、肌側の両側部に長手方向のほぼ全長に亘って配設され、長手方向の中間部において肌側に起立する立体ギャザーＢＳ、ＢＳを形成するサイドシート７、７とを備え、かつ前記吸収体４の周囲においては、その上下端縁部では前記裏面シート２と表面シート３との外縁部がホットメルトなどの接着剤やヒートシール、超音波シール等の接合手段によって接合され、またその両側縁部では吸収体４よりも側方に延出している前記裏面シート２と前記サイドシート７とがホットメルトなどの接着剤やヒートシール、超音波シール等の接合手段によって接合されることにより、吸収体が介在しないフラップ部が形成されたものである。なお、図示例では、前記吸収体４の形状保持および拡散性向上のために、前記吸収体４をクレープ紙又は不織布などからなる被包シート５で囲繞しているが、この被包シート５は設けなくてもよい。また、図示しないが、前記表面シート３の非肌側に隣接して、前記表面シート３とほぼ同形状の親水性の不織布などからなるセカンドシートを配設してもよい。
【００４５】
以下、さらに前記生理用ナプキン１の構造について詳述すると、
前記裏面シート２は、ポリエチレン等の少なくとも遮水性を有するシート材が用いられるが、蒸れ防止の観点から透湿性を有するものを用いるのが望ましい。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。前記吸収体４が介在する本体部分の前記裏面シート２の非肌側面（外面）にはナプキン長手方向に沿って１または複数条の粘着剤層（図示せず）が形成され、身体への装着時に生理用ナプキン１を下着に固定するようになっている。前記裏面シート２としては、プラスチックフィルムと不織布とを積層させたポリラミ不織布を用いてもよい。前記裏面シート２の外面側であって、表面シート３と裏面シート２との間に吸収体４が介在された本体部分の非肌面には、下着に対する固定のために適宜の塗布パターンによって複数条の粘着剤層が形成されている。
【００４６】
次いで、前記表面シート３は、有孔または無孔の不織布や多孔性プラスチックシートなどが好適に用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高で圧縮復元性が高い点で優れている。前記表面シート３に多数の透孔を形成した場合には、体液が速やかに吸収されるようになり、ドライタッチ性に優れたものとなる。不織布の繊維は、長繊維または短繊維のいずれでもよいが、好ましくはタオル地の風合いを出すため短繊維を使用するのがよい。また、エンボス処理を容易とするために、比較的低融点のポリエチレンまたはポリプロピレン等のオレフィン系繊維のものを用いるのがよい。また、融点の高い繊維を芯とし融点の低い繊維を鞘とした芯鞘型繊維やサイド−バイ−サイド型繊維、分割型繊維の複合繊維を好適に用いることもできる。
【００４７】
前記裏面シート２と表面シート３との間に介在される吸収体４は、たとえば綿状パルプと高吸水性ポリマーとにより構成されている。前記高吸水性ポリマーは吸収体を構成するパルプ中に、例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。前記吸収体４の目付は、２５０〜６５０ｇ／ｍ２、好ましくは３００〜４００ｇ／ｍ２とするのがよい。
【００４８】
また、前記吸収体４には合成繊維を混合しても良い。前記合成繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができるし、これら２種を混合したものであってもよい。また、融点の高い繊維を芯とし融点の低い繊維を鞘とした芯鞘型繊維やサイド−バイ−サイド型繊維、分割型繊維などの複合繊維も用いることができる。前記合成繊維は、体液に対する親和性を有するように、疎水性繊維の場合には親水化剤によって表面処理したものを用いるのが望ましい。
【００４９】
前記吸収体４の肌側面には、着用者の体液排出部Ｈを含む領域に、肌側に増厚された吸収体の中高部６を形成するのが好ましい。前記吸収体４及び中高部６は、それぞれ別個に製造した後、組立工程で積層してもよいし、吸収体を立体的に積繊することによって一体的に形成してもよい。また、吸収体４の上段に中高部６を積繊する二段積繊構造としてもよい。
【００５０】
前記中高部６は、吸収体４の肌側面に隣接するとともに、吸収体４の幅方向中央部に配置され、吸収体４より幅寸法及び長手寸法が小さく形成されている。前記中高部６の厚みは、厚すぎると剛性が上がり身体への密着性が低下するし、薄すぎると体液排出部Ｈとの密着性が低下するため３〜２５ｍｍ、好ましくは５〜１８ｍｍとするのがよい。また、前記中高部６が配置された部分の中高部６と吸収体４との合計目付は、４００〜９００ｇ／ｍ２、特に６００〜８００ｇ／ｍ２とするのがよい。
【００５１】
前記表面シート３の幅寸法は、図示例では、図２及び図３の横断面図に示されるように、吸収体４の幅よりも若干長めとされ、吸収体４を覆うだけに止まり、それより外方側は前記表面シート３とは別のサイドシート７、具体的には経血やおりもの等が浸透するのを防止する、あるいは肌触り感を高めるなどの目的に応じて、適宜の撥水処理または親水処理を施した不織布素材を用いて構成されたサイドシート７が配設されている。かかるサイドシート７としては、天然繊維、合成繊維または再生繊維などを素材として、適宜の加工法によって形成されたものを使用することができるが、好ましくはゴワ付き感を無くすとともに、ムレを防止するために、坪量を抑えて通気性を持たせた不織布を用いるのがよい。具体的には、坪量を１３〜２３ｇ／ｍ２として作製された不織布を用いるのが望ましく、かつ体液の透過を確実に防止するためにシリコン系、パラフィン系、アルキルクロミッククロリド系撥水剤などをコーティングした撥水処理不織布が好適に使用される。
【００５２】
前記サイドシート７は、図２及び図３に示されるように、幅方向中間部より外側部分を所定の内側位置から裏面シート２の外縁までの範囲に亘ってホットメルトなどの接着剤によって接着し、これら前記サイドシート７と裏面シート２との積層シート部分により吸収体４の両側部に吸収体４が介在しないフラップ部が形成されている。このフラップ部は、ほぼ体液排出部Ｈに相当する吸収体側部位置に左右一対のウイング状フラップＷ、Ｗを形成するとともに、これより臀部側（後部側）位置にヒップホールド用フラップＷＢ、ＷＢを形成してもよい。これらウイング状フラップＷ、Ｗおよびヒップホールド用フラップＷＢ、ＷＢの外面側にはそれぞれ粘着剤層（図示せず）が備えられ、下着に対する装着時に、前記ウイング状フラップＷ、Ｗを基端部の折返し線ＲＬ位置にて反対側に折り返し、下着のクロッチ部分に巻き付けて止着するとともに、前記ヒップホールド用フラップＷＢを下着の内面に止着するようになっている。
【００５３】
一方、前記サイドシート７の内方側部分はほぼ二重に折り返されるとともに、この二重シート内部に、その高さ方向中間部に両端または長手方向の適宜の位置が固定された１又は複数本の、図示例では３本の糸状弾性伸縮部材９、９…が両端または長手方向の適宜の位置が固定された状態で配設されている。この二重シート部分は前後端部では図３に示されるように、外側に１回折り返して積層された状態で吸収体４側に接着された積層部分７ａが設けられることによって、図２に示されるように、少なくとも体液排出部Ｈを含む長手方向の中間部において、外側に傾斜しながら肌側に向けて起立する直線状の立体ギャザーＢＳ、ＢＳが左右対で形成されている。立体ギャザーＢＳの断面形状は、図示例の直線状に限定されず、起立中間部で折れ曲がったく字状やＺ字状などとしてもよく、また中空のループ状であってもよい。
【００５４】
〔ポケット〕
（第１形態例）
本生理用ナプキン１では、図１に示されるように、肌側の前端部及び後端部にそれぞれ、長手方向中央に向けて開口するポケットＰＦ、ＰＢを形成するポケットシート１０、１１が配設されていることが特徴的である。前記ポケットは、前端部及び後端部の少なくとも一方に設けられていればよく、図示例のように前端部及び後端部の両方に設けてもよいし、図示しないが前端部及び後端部のいずれか一方のみに設けてもよい。前記ポケットシート１０、１１は、生理用ナプキン１の長手方向中央側に位置する開口側端縁１２を除く３方の辺部が、平面視略コの字形又はＵ字形に設けられた所定の形態の接合部によって、下層側の部材に接合されている。
【００５５】
このように、本生理用ナプキン１では、肌側の前端部及び後端部の少なくとも一方に、長手方向中央に向けて開口するポケットＰＦ、ＰＢが形成されているため、着用者の体液排出部Ｈに対応する領域から長手方向に流れた体液が、長手方向の端部においてポケットＰＦ、ＰＢに流れ込んで塞き止められ、このポケット内で吸収体４に吸収保持されることによって、前後端部からの体液の漏れが防止できるようになる。
【００５６】
前記ポケットシート１０、１１としては、撥水性の不織布を用いるのが好ましい。前記撥水性の不織布としては、ポリエチレンまたはポリプロピレン等のオレフィン系、ポリエステル系、ポリアミド系等の合成繊維を用いることにより素材自体に撥水性を有するものを用いるのが好ましいが、綿繊維等の親水性繊維の不織布を使用する場合は、撥水剤を外添塗布して使用する。撥水剤としては、パラフィン系、シリコン系等の既知のもののうち、肌への刺激性の少ないものを適宜選択して使用することができるが、ステアリン酸アミド、ステアリン酸亜鉛、ステアリン酸カルシウム、ステアリン酸ジエタノールアミド、ステアリン酸マグネシウム等の刺激性の少ない油脂を適宜選択して使用することがより好ましく、この他にも繊維に塗布される撥水剤として公知の撥水剤であればどのようなものを適用しても良い。前記撥水剤の塗布は、ポケットシート１０、１１の一方の面のみでもよいし、両面に施してもよい。少なくともポケットＰＦ、ＰＢの内側の面に撥水処理を施すことにより、ポケットＰＦ、ＰＢに流れ込んだ体液が肌側に滲出するのが防止できる。
【００５７】
前記ポケットシート１０、１１の一部は、開口側端部から長手方向に折り返し可能に設けられるととももに、このポケットシートの折り返し部分が生理用ナプキン１の長手方向端縁より外側において下着４０に固定し得るように設けられている。つまり、前記ポケットシート１０、１１を長手方向に折り返した状態で、この折り返し部分の先端部が、生理用ナプキン１の長手方向の端縁より外側に延在するようになっている。
【００５８】
本生理用ナプキン１では、図１及び図４に示されるように、ポケットシート１０、１１を折り返さずに下着４０に装着する形態（非折り返し時の装着形態）と、図５及び図６に示されるように、ポケットシート１０、１１を長手方向に折り返し、この折り返し部分を、生理用ナプキン１の長手方向の端縁より外側において下着４０に固定して装着する形態（折り返し時の装着形態）とが選択可能となっている。
【００５９】
図１及び図４に示される非折り返し時の装着形態においては、前記ポケットＰＦ、ＰＢによって確実に体液が塞き止められ、前後端部からの体液の漏れがより確実に防止できるようになっている。
【００６０】
また、図５及び図６に示される折り返し時の装着形態においては、ポケットシート１０、１１の折り返し部分が生理用ナプキン１の長手方向端縁より外側において下着に固定されるため、着用時における生理用ナプキン１の長手方向端部のずれが確実に防止でき、装着感が良好になる。また、生理用ナプキン１がずれずに着用者の適切な部位に装着されるため、体液の漏れが生じにくくなる。図６に示されるように、折り返し時の装着形態において、前端部のポケットシート１０は、折り返し部分の先端部に設けられた後述する粘着剤層１６が生理用ナプキン１の前側端縁より外側において下着４０の内面に貼着される。また、後端部のポケットシート１１は、折り返し部分の先端部が下着４０のウエスト開口縁で下着４０の外面側に折り返され、この下着４０の外面側に折り返された部分の先端部に設けられた後述する粘着剤層１６が下着４０の外面に貼着される。このように、後端部のポケットシート１１が下着４０のウエスト開口縁で下着４０の外面側に折り返されて固定されるため、装着時における生理用ナプキン１の後端部のずれがより確実に防止できるようになる。なお、前記後端部のポケットシート１１は、折り返し部分の先端部に設けられた粘着剤層１６を生理用ナプキン１の後側端縁より外側において下着４０の内面に貼着するようにしてもよい。
【００６１】
また、前記ポケットシート１０、１１は、使用済み生理用ナプキンを廃棄する際の包み込み用シートとして利用することも可能である。
【００６２】
前記ポケットシート１０、１１は、図１に示されるように、長手方向に折り返さない状態において、それぞれ生理用ナプキン１の前側及び後側寄りの長手方向中間位置から長手方向端縁に亘って配設されている。
【００６３】
本第１形態例に係るポケットでは、図５及び図６に示されるように、前記ポケットシート１０、１１の開口側端部から生理用ナプキン１の長手方向の所定区間におけるポケットシートの全てが、長手方向に折り返し可能に設けられている。つまり、ポケットシート１０、１１を開口側端部から長手方向に折り返すことにより、折り返されたポケットシートが位置していた部分には、ポケットシート１０、１１によるポケットＰＦ、ＰＢが存在しなくなり、下層側の部材、つまり表面シート３及びサイドシート７が肌側面に露出するようになっている。
【００６４】
このように、本第１形態例では、所定区間に配置されたポケットシート部分の全部が折り返し可能に成されているため、前記ポケットシート１０、１１は、折り返される区間及び折り返さない区間のそれぞれにおいて、所定部位が所定の接合形態で下層側の部材（表面シート３又はサイドシート７）に接合されている。
【００６５】
具体的には、前記ポケットシート１０、１１は、長手方向に折り返し可能な部分の両側部が、長手方向に折り返さない状態において、下層側の部材（サイドシート７）に対し、剥離可能接合部１３によって接合されている。前記剥離可能接合部１３は、着用者の通常の引き剥がし力によって簡単に剥離できるように形成された接合部であり、熱融着やホットメルト接着剤層などによって形成することができる。前記剥離可能接合部１３は、ポケットシート１０、１１の両側部にそれぞれ、ポケットシート１０、１１の開口側端部から、生理用ナプキン１の長手方向に沿って、所定の区間に設けられている。
【００６６】
前記剥離可能接合部１３としては、前記ポケットシート１０、１１とサイドシート７との当接面に夫々形成された自己接着性粘着剤層を用いてもよい。前記自己接着性粘着剤とは、粘着剤同士では接着性を示すが他の物質とは粘着性を示さない粘着剤を言い、天然ゴム、ブチルゴム、ポリイソプレンゴム、アクリル系、ポリウレタン系、ポリエステル系等各種のものを挙げることができ、入手は容易である。この自己接着性粘着剤によれば、ポケットシート１０、１１を長手方向に折り返さない状態においてポケットシート１０、１１をサイドシート７に接着させておくことを可能としながら、ポケットシート１０、１１の折り返し時には前記ポケットシート１０、１１およびサイドシート７に肌面が接触しても接着性を示すことが無いため装着性が著しく向上するようになる。
【００６７】
一方、前記ポケットシート１０、１１は、生理用ナプキン１の長手方向端部側の縁部がほぼ全幅に亘って下層側の部材（表面シート３、サイドシート７）に剥離不能接合部１４によって剥離不能に接合されるとともに、両側部の長手方向端部寄りの部分、即ち前記剥離可能接合部１３より長手方向端部側の部分が、下層側の部材（サイドシート７）に剥離不能接合部１４によって剥離不能に接合されている。つまり、ポケットシート１０、１１の両側部は、図７に示されるように、長手方向中央側の所定区間が剥離可能接合部１３によって剥離可能に接合される一方で、長手方向端部側の所定区間が剥離不能接合部１４によって剥離不能に接合されている。この剥離不能に接合された部分が、長手方向に折り返し不能な部分である。
【００６８】
折り返し不能な部分（前記剥離不能接合部１４による接合部）が、生理用ナプキン１の長手方向端部側の縁部に加え、両側部の長手方向端部寄りの部分にも設けられているため、図５に示されるように、ポケットシート１０、１１の折り返し状態において、折り返さないポケットシート部分によって小さなポケットが形成されるようになる。このため、折り返し時の装着形態においても、この小さなポケットに体液が流れ込んで塞き止められることにより、長手方向端部からの体液の漏れが防止できるようになる。
【００６９】
本生理用ナプキン１のように、肌側の両側部に長手方向の中間部において肌側に起立する立体ギャザーＢＳを形成するサイドシート７が配設される場合において、前記ポケットシート１０、１１は、前記サイドシート７が長手方向の両端部において、幅方向中央側の端部を幅方向に折り畳んで積層した状態で表面シート３の肌側面に接合された積層部分７ａより、幅方向外側に延在して配設されるとともに、前記ポケットシート１０、１１の両側部に設けられる剥離可能接合部１３が、前記積層部分７ａより幅方向外側に配置されるようにするのが好ましい。これによって、肌側に増厚されたサイドシート７の積層部分７ａが、両側の剥離可能接合部１３、１３の間に形成されるポケットＰＦ、ＰＢ内の両側に位置するため、ポケットシート１０、１１が表面シート３から浮いた状態となって、ポケットシート１０、１１と表面シート３との間に空間が形成されやすくなり、ポケットＰＦ、ＰＢ内に体液が流れ込みやすくなる。
【００７０】
前記ポケットシート１０、１１の長手方向に折り返し可能な部分は、サイドシート７の積層部分７ａの肌側面に対しても、前記剥離可能接合部１３によって接合してもよいし、接合しなくてもよい。
【００７１】
前記ポケットシート１０、１１の開口側端縁１２と、前記サイドシート７の前記積層部分７ａの長手方向中央側の端縁とは、ほぼ同じ位置になるように形成してもよいし、異なる位置に形成してもよい。ポケットシート１０、１１の開口側端縁１２を、前記積層部分７ａの長手方向中央側の端縁より、長手方向中央側に延在させた場合には、サイドシート７の肌側に起立する立体ギャザーＢＳの部分までポケットシート１０、１１が延在することとなり、立体ギャザーＢＳが肌側に起立することによってポケットＰＦ、ＰＢの開口側端縁１２が口開きしやすくなる。
【００７２】
図１及び図７に示されるように、前記ポケットシート１０、１１の開口側端部に、長手方向に折り返した端縁折り返し部１５を設けるのが好ましい。前記端縁折り返し部１５を設けることにより、ポケットシート１０、１１の開口側端部のコシが増し、ポケットＰＦ、ＰＢが口開きしやすくなる。
【００７３】
また、この端縁折り返し部１５の内面には、前記ポケットシート１０、１１を開口側端部から長手方向に折り返した際、下着４０に固定するための粘着剤層１６を備えるのが好ましい。前記粘着剤層１６が当接する部分のポケットシート１０、１１の対向面には剥離処理が施され、折り返し時の使用形態において、端縁折り返し部１５の折り返しを展開したとき、粘着剤層１６が容易に剥離できるようにするのが好ましい。
【００７４】
ここで、前記ポケットＰＦ、ＰＢの製造方法について、図８に基づいて説明すると、生理用ナプキン１の長手方向をライン流れ方向と一致させた縦流れ方式の製造ラインにおいて、隣り合う生理用ナプキン１、１の前後端部に配置されるポケットシート１０、１１を連続する等幅の連続シートで構成し、所定領域を所定の接合形態で接合した後、前記端縁折り返し部１５を形成するため連続シートの前後両端を折り返し、生理用ナプキン１の外形線で裁断することによって行うことができる。
【００７５】
本生理用ナプキン１は、後側の両側部に幅方向に突出するヒップホールド用フラップＷＢ、ＷＢが形成された夜用の生理用ナプキンであるため、生理用ナプキンの平面形状は、前側より後側の方が幅寸法が大きく形成されている。このため、図８に示されるように、生理用ナプキン１の前側の幅寸法を基準として、ポケットシート１０、１１の連続シートを配置した場合、生理用ナプキン１の後端部に配設されるポケットシート１１は、生理用ナプキン１の側縁まで達しない、生理用ナプキン１の幅方向中間部に配置されるようになる。
【００７６】
一方、図９に示されるように、生理用ナプキン１の後端部に配設されるポケットシート１１を、生理用ナプキン１の全幅に亘って配置するようにしてもよい。この場合には、図１０に示されるように、生理用ナプキン１の後側の幅寸法を基準として、ポケットシート１０、１１の連続シートを配置する。全幅に亘ってポケットシート１０、１１を配置することによって、折り返し時の装着形態において、下着の広い範囲に固定できるようになるとともに、ポケットシート１１を使用済み生理用ナプキンの包み込み用シートとして使用する場合でもより広い範囲を包み込むことができるようになる。ポケットシート１１を幅広に形成する観点から、前記ポケットシート１１の前側の端縁１２は、ヒップホールド用フラップＷＢが最も幅方向外側に突出する部分又はその近傍に位置するのが好ましい。また、前記ポケットシート１０、１１の接合は、生理用ナプキン１の周縁部を全周に亘って接合する全周シール部を利用してもよい。
【００７７】
前記吸収体４の肌側面は、全面に亘って平坦でもよいが、図１１及び図１２に示されるように、前記ポケットＰＦ、ＰＢと重なる領域の肌側面に、非肌側に窪む凹部１７が形成されるようにしてもよい。前記凹部１７を形成することにより、ポケット内に体液流入用の空間部が形成されやすくなり、表面シート３の表面を長手方向端部に向けて流れる体液が、前記凹部１７に流れ込んで吸収体４に吸収されやすくなる。前記凹部１７は、吸収体４の肌側からの圧搾によって形成してもよいが、吸収体４を構成する素材の目付を低くすることによって形成するのが好ましい。前記凹部１７において表面シート３は、凹部１７による空間の上方に配置するようにしてもよいし、表面シート３の表面を流れる体液が凹部１７に流入しやすいように、凹部１７に入り込むようにして凹部１７の窪み形状に沿って配置してもよい。凹部１７に沿って形成するには、凹部１７の周縁に沿って表面シート３の外面からの圧搾により、連続する凹溝又は間欠的な多数の凹部を形成することにより成すことができる。
【００７８】
また、前記凹部１７の大きさ及び平面形状は任意であるが、両側のサイドシート７、７の間であって、吸収体４の端縁まで達しない中間部に、平面視略方形状に形成するのがよい。また、凹部１７における生理用ナプキン１の長手方向中央側の端縁は、ポケットＰＦ、ＰＢの開口側端縁１２より長手方向の中央側に延在して形成するのが好ましい。これによって、表面シート３の表面を長手方向端部に向けて流れる体液が、前記凹部１７に入り込んだ後、ポケットＰＦ、ＰＢ内にスムーズに流入できるようになる。
【００７９】
前記吸収体４に含まれる高吸水性ポリマーの目付は、吸収体４の全面に亘ってほぼ均等であってもよいが、前記ポケットＰＦ、ＰＢと重なる領域において、吸収体４に含まれる高吸水性ポリマーの目付を、他の領域より低く設定してもよい。ポケットＰＦ、ＰＢと重なる領域で高吸水性ポリマーの目付を低く設定することにより、ポケットＰＦ、ＰＢの形成領域において高吸水性ポリマーの吸水による膨潤が抑えられ、体液の流入後においてもポケットＰＦ、ＰＢの空間が維持しやすくなる。
【００８０】
一方、ポケットＰＦ、ＰＢの両側及び長手方向端部には、高吸水性ポリマーの目付を、ポケットＰＦ、ＰＢを除く他の領域より高く設定したポリマー高目付領域を設けてもよい。これにより、ポリマー高目付領域の高吸水性ポリマーが吸水して膨潤することにより、ポケットＰＦ、ＰＢの外周部が膨出し、より一層ポケットＰＦ、ＰＢの空間が維持されやすくなる。
【００８１】
ところで、前記表面シート３は、全面に亘ってほぼ均一に形成してもよいが、図１３に示されるように、ポケットＰＦ、ＰＢと重なる領域に、表裏を貫通する多数の開孔１８、１８…を形成し、それ以外の領域には開孔を形成しないようにしてもよい。前記ポケットと重なる領域のみに多数の開孔１８、１８…を形成することにより、表面シート３の表面を流れてポケットＰＦ、ＰＢで塞き止められた体液を、ポケットＰＦ、ＰＢ内で効率よく吸収体４に吸収・保持できるようになる。また、ポケットＰＦ、ＰＢ部分以外の領域での開孔１８…からの体液の逆戻りが防止できる。吸収体４に前記凹部１７を形成した上で、この凹部１７と重なる領域に前記開孔１８…を形成してもよい。前記開孔１８は、ピンによる突き刺しなど、常用に従って形成することができる。
【００８２】
また、前記表面シート３は、図１４及び図１５に示されるように、ポケットＰＦ、ＰＢと重なる領域に、生理用ナプキン１の幅方向に亘って延びる畝部及び溝部を生理用ナプキン１の長手方向に交互に多数配置した畝溝構造が形成されるようにしてもよい。この畝溝構造は、ポケットＰＦ、ＰＢが形成される位置又はそれより若干長手方向中央側の位置から、生理用ナプキン１の端部にかけて形成するのが好ましい。前記畝溝構造を形成することにより、ポケットＰＦ、ＰＢまで流れた体液が、それ以上長手方向の端部に向けて流れるのが抑制することができる。前記表面シート３には畝溝構造のみを施してもよいし、前記多数の開孔１８…を施した上で前記畝溝構造を施すようにしてもよい。
【００８３】
（第２形態例）
次に、前記ポケットＰＦ、ＰＢの第２形態例について説明する。第２形態例に係るポケットＰＦ、ＰＢでは、図１６〜図１８に示されるように、ポケットシート２０、２１が２層以上の積層シート材からなり、少なくとも最上層のシート材２２が開口側端部から長手方向に折り返し可能に設けられており、それより下層側のシート材２３は長手方向に折り返し不能に設けられる点で、上記第１形態例に係るポケットと相違する。
【００８４】
このように、ポケットシート２０、２１を２層以上の積層シート材で構成し、少なくとも最上層のシート材２２のみを開口側端部から長手方向に折り返し可能とし、これより下層側のシート材２３は折り返さずにポケットＰＦ、ＰＢを形成した状態を維持することによって、前後端部からの漏れ防止と生理用ナプキン１の前後端部のずれをより確実に図ることができるようになる。また、折り返し可能なシート材２２は、折り返さない装着形態においても、使用済み生理用ナプキンを廃棄する際の包み込み用シートとして利用することが可能である。
【００８５】
長手方向に折り返し可能なシート材２２と、折り返し不能なシート材２３とは、剥離可能接合部２４によって接合されている。前記剥離可能接合部２４は、開口側端部の近傍に１箇所又は複数箇所設けられている。この剥離可能接合部２４としては、前述の剥離可能接合部１３と同様のものを用いることができる。
【００８６】
長手方向に折り返し不能に設けられた下層側のシート材２３には、図１７に示されるように、防水シート２５を積層してもよい。これにより、ポケットＰＦ、ＰＢに流れ込んだ体液の滲出が防止できるようになる。前記防水シート２５を配置した場合には、前記ポケットシート２０、２１として、撥水性を有するものの他、親水性を有するものを用いてもよい。
【００８７】
長手方向に折り返し不能なシート材２３は、高吸水性ポリマーやパルプ繊維、エアレイド吸収体など、体液を吸収する機能を有する部材が配設されていてもよい。これにより、ポケットＰＦ、ＰＢにおける体液の吸収機能がより向上するようになる。前記防水シート２５を配置する場合は、この防水シート２５より下層側に、前述の体液吸収機能部材を配置するようにする。
【００８８】
前記ポケットシート２０，２１は、図１６及び図１７に示されるように、連続する１枚のシート材を長手方向に折り畳むことによって２層以上の積層シート材を構成することができる。具体的に、図１７に示される形態例では、長手方向端部側から長手方向中央側に延在するポケットシート２１が、長手方向中央側位置の第１折返し部２６ａで長手方向に折り返されるとともに、長手方向端部側位置の第２折り返し部２６ｂで更に長手方向に折り返されることにより、下層側から順に、第１シート部２１ａ、第２シート部２１ｂ、第３シート部２１ｃが形成されている。
【００８９】
前記第１シート部２１ａと第２シート部２１ｂとの間に防水シート２５が配設されるとともに、これらの間が剥離不能に接合されている。また、前記第２シート部２１ｂと第３シート部２１ｃとが、剥離可能接合部２４によって剥離可能に接合されている。
【００９０】
前記第３シート部２１ｃは長手方向に折り返し可能なシート材２２を構成しており、前記第１シート２１ａと第２シート２１ｂとの積層体は長手方向に折り返し不能なシート材２３を構成している。
【００９１】
前記第３シート部２１ｃは、前記第２折り返し部２６ｂを基端として長手方向に折り返し可能に設けられており、先端部に下着４０に貼着可能な前記粘着剤層１６が設けられている。
【００９２】
このように、連続する１枚のシート材を長手方向に折り畳むことによって構成しているため、複数のシート材を接合する手間が省略でき、製造が容易化できる。
【００９３】
前述の長手方向に折り返し可能なシート材２２（第３シート部２１ｃ）は、複数に折り返すことにより、長さを長くしてもよい。これにより、下着のより広い範囲に固定できるようになるとともに、使用済み生理用ナプキンを廃棄する際、より長く包み込むことができるようになる。
【００９４】
図１７に示されるように、前記第１折返し部２６ａの近傍に、生理用ナプキン１の幅方向に沿って、弾性伸縮部材２７を配設してもよい。これにより、ポケットＰＦ、ＰＢが口開きしやすくなる。
【００９５】
本第２形態例の変形例として、図１９に示されるように、前記ポケットシート２０、２１が、長手方向に折り返し可能に成された上層側のシート材２８と、長手方向に折り返し不能に成された下層側のシート材２９とを剥離不能な接合部３０によって接合することにより、２層以上の積層シート材を構成するようにしてもよい。前記接合部３０は、生理用ナプキン１の後端部に、生理用ナプキン１の幅方向に沿って設けられている。
【００９６】
これによって、２層以上の積層シート材が２つに分割されるため、１枚当たりのシート材の長さが短くでき、製造上の取扱いが容易になる。
【符号の説明】
【００９７】
１…生理用ナプキン、２…裏面シート、３…表面シート、４…吸収体、５…被包シート、６…中高部、７…サイドシート、９…糸状弾性伸縮部材、１０・１１１…ポケットシート、１２…端縁、１３…剥離可能接合部、１４…剥離不能接合部、１５…端縁折り返し部、１６…粘着剤層、１７…凹部、１８…開孔、２０・２１…ポケットシート、２２…折り返し可能なシート材、２３…折り返し不能なシート材、２４…剥離可能接合部、２５…防水シート、２７…弾性伸縮部材、２８…上層側のシート材、２９…下層側のシート材、３０…接合部、４０…下着、ＰＦ、ＰＢ…ポケット
【図１】
2020137731.tif 000003
【図２】
2020137731.tif 000004
【図３】
2020137731.tif 000005
【図４】
2020137731.tif 000006
【図５】
2020137731.tif 000007
【図６】
2020137731.tif 000008
【図７】
2020137731.tif 000009
【図８】
2020137731.tif 000010
【図９】
2020137731.tif 000011
【図１０】
2020137731.tif 000012
【図１１】
2020137731.tif 000013
【図１２】
2020137731.tif 000014
【図１３】
2020137731.tif 000015
【図１４】
2020137731.tif 000016
【図１５】
2020137731.tif 000017
【図１６】
2020137731.tif 000018
【図１７】
2020137731.tif 000019
【図１８】
2020137731.tif 000020
【図１９】
2020137731.tif 000021